(57)【要約】 【課題】収納スペースの合理的な使用や十分な収納スペースを確保しつつ、採光性を向上させる。【解決手段】本発明に係る建物の採光構造１は、外壁２の室内側に位置する建物内空間としてのキッチン３の天井を外壁２に向かって上り勾配を有する勾配天井４とし、該勾配天井の直下となるように外壁２に高窓５を設けるとともに、高窓５の下方でかつ外壁２の前方に拡がる領域を住宅設備の設置スペースとし、床７の上に設置する形で該設置スペースに住宅設備、特にキッチン設備としての食器棚６を配置してある。【選択図】  図１
2015081411.tif 000002
【特許請求の範囲】
【請求項１】
外壁の室内側に位置する建物内空間の天井を前記外壁に向かって上り勾配を有する勾配天井とするとともに、該勾配天井の直下となるように前記外壁に高窓を設け、前記建物内空間のうち、前記高窓の下方でかつ前記外壁の前方に拡がる領域を住宅設備の設置スペースとしたことを特徴とする建物の採光構造。
【請求項２】
前記建物内空間の上方階の荷重を受ける柱のうち、前記外壁に沿って立設される柱の配置スパンを該柱が含まれる構面に平行でかつ前記外壁から離間した構面に立設される柱の配置スパンよりも短くするとともに、前記外壁に沿って立設される柱に架け渡される横架材の梁成を前記外壁から離間した構面に立設される柱に架け渡される横架材の梁成よりも低くした請求項１記載の建物の採光構造。
【請求項３】
前記住宅設備を収納設備で構成するとともに、該収納設備を、その頂部が前記高窓の直下となるように前記設置スペースに設置し、該収納設備の頂部上面を光反射性材料で形成した請求項１又は請求項２記載の建物の採光構造。
【請求項４】
前記勾配天井の下面を光反射性材料で形成した請求項３記載の建物の採光構造。
【請求項５】
前記住宅設備をそれらの背面の少なくとも一部と前記外壁の室内面との間に鉛直方向に延びる離間スペースが形成されるように設置して該離間スペースに前記高窓又はそれに付設されたブラインドの開閉操作手段を配置し、該開閉操作手段を構成する操作部を、前記住宅設備の背面側から正面側に抜けるようにかつ前記離間スペースに連通するように設けられた開口に露出させた請求項１記載の建物の採光構造。
【発明の詳細な説明】
【技術分野】
【０００１】
本発明は、主として住宅に適用される建物の採光構造に関する。
【背景技術】
【０００２】
健康上あるいは衛生上の観点から建物内に自然光を取り込むことはきわめて重要であり、リビングルーム、ダイニングルーム、キッチン、寝室などの居室については、所定面積の窓開口を設置することが義務付けられている。
【０００３】
ここで、キッチンは、食材の準備や下ごしらえ、調理、さらには配膳や食事後の食器洗いを行うスペースであって、冷蔵庫、流し台、加熱調理器、食器洗浄機といったさまざまな厨房設備や、食器を収納するための収納棚が必要不可欠であり、それゆえ、窓開口の確保は本来的に難しい。
【０００４】
加えて、キッチンは、リビングルームやダイニングルームなどとの兼ね合いから、建物内のうち、例えば北西位置に設けられることが慣例になっており、直射日光を取り込むことは困難な場合が多い。
【０００５】
そのため、キッチンでの採光性を高める工夫が従来からなされており、例えば外壁の室内面に沿って配置される収納棚を全面収納ではなく、中央に開口が形成されるように構成し、その開口相当箇所に窓開口を設ける構成がよく知られている。
【先行技術文献】
【特許文献】
【０００６】
【特許文献１】特開２００７−２４４６６４号公報
【特許文献２】特開２００６−１７２９２６号公報
【発明の概要】
【発明が解決しようとする課題】
【０００７】
しかしながら、上述の構成の場合、収納スペースは、窓開口を取り囲むようにレイアウトされることになるため、食器を取り出したり収納したりする際の動作や動線にどうしても無駄が多くなり、キッチンでの作業効率が低下するという問題や、天井付近の高いエリアや床付近の低いエリアに収納スペースが集中するため、使い勝手が悪く、作業姿勢にも無理が生じるといった問題を生じていた。
【０００８】
かかる問題を解決すべく、収納棚と天井の間に高窓を設ける工夫も提案されているが（特許文献１）、収納棚はその機能上、奥行寸法を大きくしてあるため、高窓を介して自然光を十分に取り込むことが難しく、それを解消しようとすると収納棚を低くせざるを得ず、収納スペースの不足を余儀なくされるという問題を生じていた。
【課題を解決するための手段】
【０００９】
本発明は、上述した事情を考慮してなされたもので、収納スペースの合理的な使用や十分な収納スペースを確保しつつ、採光性を向上させることが可能な建物の採光構造を提供することを目的とする。
【００１０】
上記目的を達成するため、本発明に係る建物の採光構造は請求項１に記載したように、外壁の室内側に位置する建物内空間の天井を前記外壁に向かって上り勾配を有する勾配天井とするとともに、該勾配天井の直下となるように前記外壁に高窓を設け、前記建物内空間のうち、前記高窓の下方でかつ前記外壁の前方に拡がる領域を住宅設備の設置スペースとしたものである。
【００１１】
また、本発明に係る建物の採光構造は、前記建物内空間の上方階の荷重を受ける柱のうち、前記外壁に沿って立設される柱の配置スパンを該柱が含まれる構面に平行でかつ前記外壁から離間した構面に立設される柱の配置スパンよりも短くするとともに、前記外壁に沿って立設される柱に架け渡される横架材の梁成を前記外壁から離間した構面に立設される柱に架け渡される横架材の梁成よりも低くしたものである。
【００１２】
また、本発明に係る建物の採光構造は、前記住宅設備を収納設備で構成するとともに、該収納設備を、その頂部が前記高窓の直下となるように前記設置スペースに設置し、該収納設備の頂部上面を光反射性材料で形成したものである。
【００１３】
また、本発明に係る建物の採光構造は、前記勾配天井の下面を光反射性材料で形成したものである。
【００１４】
また、本発明に係る建物の採光構造は、前記住宅設備をそれらの背面の少なくとも一部と前記外壁の室内面との間に鉛直方向に延びる離間スペースが形成されるように設置して該離間スペースに前記高窓又はそれに付設されたブラインドの開閉操作手段を配置し、該開閉操作手段を構成する操作部を、前記住宅設備の背面側から正面側に抜けるようにかつ前記離間スペースに連通するように設けられた開口に露出させたものである。
【００１５】
本発明に係る建物の採光構造においては、外壁の室内側に位置する建物内空間の天井を、外壁に向かって上り勾配を有する勾配天井とするとともに、該勾配天井の直下となるように外壁に高窓を設け、建物内空間のうち、高窓の下方でかつ外壁の前方に拡がる領域を住宅設備の設置スペースとしてある。
【００１６】
このようにすると、勾配天井によって外壁位置での天井高が高くなり、その高さ範囲を利用して高窓を設けることができるとともに、床面から高窓下縁までの高さは、通常の天井高と概ね同等となる。
【００１７】
そのため、住宅設備の設置スペースをほとんど圧迫することなく、良好な採光を確保することができる。
【００１８】
なお、住宅設備の設置スペースに問題がないのであれば、採光性を高めるべく、高窓の高さサイズを大きくしてもかまわない。この場合、床面から高窓下縁までの高さは、通常の天井高よりも低くなる。
【００１９】
勾配天井は、従来公知の手段で適宜構成すればよいが、建物内空間の上方階の荷重を受ける柱のうち、外壁に沿って立設される柱の配置スパンを該柱が含まれる構面に平行でかつ外壁から離間した構面に立設される柱の配置スパンよりも短くするとともに、外壁に沿って立設される柱に架け渡される横架材の梁成を外壁から離間した構面に立設される柱に架け渡される横架材の梁成よりも低くした構成とすれば、柱や横架材を標準的な材料で構成することが可能となり、結果として本発明に係る建物の採光構造を合理的なコストで構築することができる。
【００２０】
建物内空間は、主としてキッチンが想定されるが、住宅設備を設置することで採光の確保が難しくなるのであれば、その空間用途は任意であり、例えばダイニング、洗面所、脱衣所、トイレ、リビングルームなども包摂される。
【００２１】
住宅設備は、空間用途の関係で任意に構成されるものであり、建物内空間がキッチンやダイニングであれば主として食器等を収納する収納棚が該当し、建物内空間が洗面所であれば収納棚や洗面台あるいは鏡が該当し、脱衣所やトイレであれば収納棚が該当し、リビングルームであれば大型テレビやそれを設置するＴＶボードが該当する。
【００２２】
なお、住宅設備は、必ずしも床面に設置されるものだけではなく、外壁室内面に固着されるものも包摂される。
【００２３】
住宅設備を収納棚等の収納設備で構成する場合において、該収納設備を、その頂部が高窓の直下となるように設置スペースに設置し、該収納設備の頂部上面を光反射性材料で形成したならば、高窓を介して入射した自然光は、収納設備の頂部で反射し、より前方へと送り込まれるため、自然光を建物内空間の全体に行き渡らせることができる。
【００２４】
ここで、前記勾配天井の下面を光反射性材料で形成したならば、高窓を介して入射した自然光が収納設備の頂部で反射した後、勾配天井でさらに反射するため、入射光はさらに前方へと送り込まれることとなり、建物内空間における採光性がさらに向上する。
【００２５】
収納設備の頂部に設ける光反射性材料や勾配天井下面の光反射性材料は、必ずしも金属材料に限定されるものではなく、例えば白色度の高い板材も収納設備の頂部に設ける光反射性材料に包摂されるし、同じく白色度の高いクロスも勾配天井下面の光反射性材料に包摂される。
【００２６】
高窓を採光専用のフィックス窓とするか、自然通風が可能な開閉窓とするかは任意に選択できる事項であるし、ブラインドの付設も任意であるが、高窓を開閉窓とし、あるいはブラインドを付設する場合において、それらの開閉操作を手動で行う場合においては、前記住宅設備をそれらの背面の少なくとも一部と前記外壁の室内面との間に鉛直方向に延びる離間スペースが形成されるように設置して該離間スペースに前記高窓又はそれに付設されたブラインドの開閉操作手段を配置し、該開閉操作手段を構成する操作部を、前記住宅設備の背面側から正面側に抜けるようにかつ前記離間スペースに連通するように設けられた開口に露出させた構成を採用することができる。
【図面の簡単な説明】
【００２７】
【図１】本実施形態に係る建物の採光構造１の鉛直断面図。
【図２】本実施形態に係る建物の採光構造１の図であり、(a)はＡ−Ａ線、(b)はＢ−Ｂ線方向からの各矢視図。
【図３】本実施形態に係る建物の採光構造１の作用を説明した図。
【図４】変形例に係る建物の採光構造の図であり、(a)は正面図、(b)はＣ−Ｃ線に沿う水平断面図。
【発明を実施するための形態】
【００２８】
以下、本発明に係る建物の採光構造の実施の形態について、添付図面を参照して説明する。
【００２９】
図１は、本実施形態に係る建物の採光構造を示した鉛直断面図、図２は、Ａ−Ａ線及びＢ−Ｂ線方向からの各矢視図である。これらの図でわかるように、本実施形態に係る建物の採光構造１は、外壁２の室内側に位置する建物内空間としてのキッチン３の天井を外壁２に向かって上り勾配を有する勾配天井４とし、該勾配天井の直下となるように外壁２に高窓５を設けるとともに、キッチン３のうち、高窓５の下方でかつ外壁２の前方に拡がる領域を設置スペースとし、床７の上に設置する形で該設置スペースに住宅設備、特にキッチン設備としての収納棚６を配置してある。なお、収納棚６の隣には、冷蔵庫１５を設置してある。
【００３０】
勾配天井４は図１でよくわかるように、キッチン３の上階８を支持する横架材１２，１３，１４に取り付けてあるが、横架材１２，１３，１４のうち、外壁２から最も離隔した位置にある横架材１４には該横架材から吊持する形で、横架材１４と梁成寸法が同一の横架材１３にはその下面に直接取り付ける形で、横架材１２には、該横架材を横架材１３，１４よりも梁成を小さくした上でその下方隅部に取り付けることにより、傾斜状態を確保できるように構成してある。
【００３１】
ここで、横架材１２は図２(a)に示すように、柱１１ａ，１１ｂ，１１ｃに架け渡してあるのに対し、横架材１４は同図(b)に示すように、一端を柱９に接合する形で図示しないもう一方の柱との間に架け渡すとともに、横架材１３も横架材１４と同様、一端を柱１０に接合する形で図示しないもう一方の柱との間に架け渡してあり、柱１１ａ，１１ｂ，１１ｃの配置スパンは、該柱が含まれる構面に平行でかつ外壁２から離間した構面に立設される柱９や柱１０の配置スパンよりも短くなっており、上階８の荷重を受けるにあたり、横架材１２の梁成が横架材１３，１４の梁成より低くても、柱の配置スパンを小さくすることにより、強度の高い材料を使うことなく合理的なコストで勾配天井４を構築できるようになっている。
【００３２】
収納棚６は、その頂部２１が高窓５の直下となるように上述した設置スペースに設置してあるが、頂部２１は、その上面を光反射性材料で構成してあり、高窓５を介して入射した自然光が収納棚６の頂部２１で反射して、より前方へと送り込まれるようになっている。
【００３３】
光反射性材料は、例えばアルミニウム系板材で構成することができるが、鏡面反射させるのか乱反射させるのかは任意であり、乱反射させたい場合には、上述のアルミニウム系板材を適宜、粗面加工するようにすればよい。また、所望の反射率が得られるのであれば、白色度の高い板材でもかまわない。
【００３４】
勾配天井４の下面２２についても同様に光反射性材料で構成してあり、高窓５を介して入射した自然光が収納棚６の頂部２１で反射した後、勾配天井４の下面２２でさらに反射することで、入射光をさらに前方へと送り込むことができるようになっている。
【００３５】
勾配天井４の下面２２に用いる光反射性材料も収納棚６の頂部２１に設ける光反射性材料と同様であり、例えばアルミニウム系板材で構成することができるが、所望の反射率が得られるのであれば、白色度の高いクロスで構成してもかまわない。
【００３６】
本実施形態に係る建物の採光構造１においては、勾配天井４によって外壁位置での天井高が高くなるので、その高さ範囲を利用して高窓５を設ける。この場合、床７の上面から高窓５の下縁までの高さは、通常の天井高と概ね同等となり、収納棚６の設置スペースはほとんど圧迫されない。
【００３７】
また、高窓５を介して入射した自然光（キッチン３を北側に配置した場合は天空光）は図３に示すように、収納棚６の頂部２１で反射した後、勾配天井４の下面２２でさらに反射するため、入射光はさらに前方へと送り込まれる。
【００３８】
以上説明したように、本実施形態に係る建物の採光構造１によれば、キッチン３の天井を、外壁２に向かって上り勾配を有する勾配天井４とするとともに、該勾配天井の直下となるように外壁２に高窓５を設け、該高窓の下方でかつ外壁２の前方に拡がる領域をキッチン設備の設置スペースとしたので、勾配天井４によって外壁位置での天井高が高くなり、その高さ範囲を利用して高窓５を設けることができる。
【００３９】
そのため、収納棚などのキッチン設備のために、十分な窓開口を有する高窓を設置することができず、採光が犠牲になるといった事態は起こらず、キッチン３に十分な自然光を取り込むことが可能となる。
【００４０】
また、床７の上面から高窓５の下縁までの高さは、通常の天井高と概ね同等であるため、上述の設置スペースに設置されるキッチン設備、特に収納棚６には、十分な収容力を持たせることができるとともに、中央近傍に窓開口を設ける必要もないため、食器を取り出したり収納したりする際の動作や動線に無駄がなくなるとともに、高いエリアや床７付近の低いエリアに収納スペースが集中することもなくなり、かくしてキッチン３での作業効率を大幅に向上させることが可能となる。
【００４１】
また、本実施形態に係る建物の採光構造１によれば、外壁２に沿った柱１１ａ，１１ｂ，１１ｃの配置スパンを、該柱が含まれる構面に平行でかつ外壁２から離間した構面に立設される柱９や柱１０の配置スパンよりも短くするとともに、横架材１２の梁成を横架材１３，１４の梁成より低くするようにしたので、強度の高い材料を使うことなく合理的なコストで勾配天井４を構築することが可能となる。
【００４２】
また、本実施形態に係る建物の採光構造１によれば、収納棚６を構成する頂部２１の上面を光反射性材料で構成するとともに、勾配天井４の下面２２を光反射性材料で構成するようにしたので、高窓５を介して入射した自然光を収納棚６の頂部２１で反射させた後、勾配天井４の下面２２でさらに反射させることが可能となり、かくしてキッチン３全体に入射光を送り込むことができる。
【００４３】
本実施形態では、上述の設置スペースに設置される住宅設備をキッチン設備、特に全面収納可能な収納棚６としたが、収納棚の構成は任意であって、図２に示したほか、中央近傍にカウンターを設けたものなど、さまざまなレイアウトの収納棚を採用することができるし、収納棚以外のキッチン設備、例えば流し台や加熱調理器を組み込んだシステムキッチンを設置してもかまわない。
【００４４】
また、本実施形態では、建物内空間をキッチン３としたが、これに代えて、ダイニング、洗面所、脱衣所、トイレなどを本発明の建物内空間としてもかまわない。
【００４５】
この場合、建物内空間がダイニングであれば住宅設備を収納棚とし、洗面所であれば住宅設備を収納棚や洗面台あるいは鏡とし、脱衣所やトイレであれば住宅設備を収納棚とすることができる。
【００４６】
このような構成であっても、住宅設備の機能を何ら損なうことなく採光性を改善することができる点は上述の実施形態と同様である。
【００４７】
また、本実施形態では、外壁２に沿った柱１１ａ，１１ｂ，１１ｃの配置スパンを、該柱が含まれる構面に平行でかつ外壁２から離間した構面に立設される柱９や柱１０の配置スパンよりも短くするとともに、横架材１２の梁成を横架材１３，１４の梁成より低くするようにしたが、勾配天井４をどのように施工するかは任意であり、公知の構造や施工方法を適宜採用して構築することが可能である。
【００４８】
また、本実施形態では、収納棚６を構成する頂部２１の上面及び勾配天井４の下面２２を光反射性材料で構成したが、これに代えて、収納棚６を構成する頂部２１の上面だけを光反射性材料で構成するようにしてもかまわない。
【００４９】
かかる構成においても、高窓５を介して入射した自然光が収納棚６を構成する頂部２１の上面で反射し、その結果、キッチン３の一定範囲に入射光が送り込まれることに変わりはない。
【００５０】
なお、十分な採光が得られるのであれば、本実施形態における光反射性材料を用いた上述の構成を全て省略してもかまわない。
【００５１】
また、本実施形態では、特に言及しなかったが、高窓５を開閉窓とし、その開閉操作を電動ではなく、手動で行う場合においては、図４に示したように収納棚６に代えて、鉛直方向に延びる溝４１が背面に形成されるとともに、背面側から正面側に抜ける矩形開口４２が溝４１に連通されるように中央近傍に形成されてなる収納棚４３を上述の設置スペースに設置してもよい。
【００５２】
矩形開口４２は、炊飯器、トースター、ミキサーなどの調理具を載置するカウンタースペースとして利用することができるが、本変形例においては、収納棚４３を上述の設置スペースに設置したとき、その背面に設けた溝４１が、外壁２の室内面との間に形成される鉛直方向に延びる離間スペースとなり、該離間スペースに高窓５の開閉操作を行う開閉操作手段としてのオペレータ４４を配置するとともに、該オペレータを操作する操作部としてのハンドル４５を、収納棚４３の矩形開口４２に露出させる。
【００５３】
このようにすれば、ハンドル４５を回すことで、高窓５を容易に開閉することが可能となる。
【００５４】
なお、高窓５を開閉窓とすることで自然通風が可能になるとともに、キッチン３に設置されたガスコンロ、オーブンレンジ、トースターその他の熱源から出る熱もすみやかに排出される。
【符号の説明】
【００５５】
１                    建物の採光構造
２                    外壁
３                    キッチン（建物内空間）
４                    勾配天井
５                    高窓
６                    収納棚（キッチン設備、住宅設備）
９，１０              柱
１１ａ，１１ｂ，１１ｃ  柱
１２，１３，１４        横架材
２１                    頂部
４１                    溝（離間スペース）
４２                    矩形開口（開口）
４３                    収納棚
４４                    オペレータ（開閉操作手段）
４５                    ハンドル（操作部）
【図１】
2015081411.tif 000003
【図２】
2015081411.tif 000004
【図３】
2015081411.tif 000005
【図４】
2015081411.tif 000006